(57)【要約】【課題】原稿画像に追跡パターンを埋め込んで追加情報を付加する画像形成方法において、追跡パターンで多値情報を表すことができる画像形成方法を提供する。【解決手段】原稿画像を示す画像データに対して濃度変換を行い、追跡パターンの生成位置（部分Ｂ）の画像を、付加する情報に応じた濃度で置き換えることにより原画像に追加情報を付加する画像形成方法。【選択図】図４
2007150876.tif 000002
【特許請求の範囲】
【請求項１】
原稿画像に追跡パターンを埋め込むことにより追加情報を付加する画像形成方法において、原稿の画像を示す画像データに対して濃度変換を行い、追跡パターンの生成位置の画像を、付加する情報に応じた濃度で置き換えることにより原稿画像に追加情報を付加することを特徴とする画像形成方法。
【請求項２】
原稿画像に追跡パターンを埋め込むことにより追加情報を付加する画像形成方法において、原稿の画像を示す画像データに対して色変換を行い、追跡パターンの生成位置の画像を、付加する情報に応じた色で置き換えることにより原稿画像に追加情報を付加することを特徴とする画像形成方法。
【請求項３】
原稿画像に追跡パターンを埋め込むことにより追加情報を付加する画像形成方法において、原稿の画像を示す画像データに対して特定形状のパターンを付加することによって追跡パターンを生成し、追跡パターンの生成位置の画像を、付加する情報に応じた形状で置き換えることを特徴とする画像形成方法。
【請求項４】
追跡パターンが複数のパターンからなるパターン群からなり、パターン群を構成するそれぞれのパターンごとに、付加する情報に応じた濃度で置き換えたことを特徴とする請求項１に記載の画像形成方法。
【請求項５】
追跡パターンが複数のパターンからなるパターン群からなり、パターン群を構成するそれぞれのパターンごとに、付加する情報に応じた色で置き換えたことを特徴とする請求項２に記載の画像形成方法。
【請求項６】
追跡パターンが複数のパターンからなるパターン群からなり、パターン群を構成するそれぞれのパターンごとに、付加する情報に応じた形状で置き換えたことを特徴とする請求項３に記載の画像形成方法。
【請求項７】
パターン群を構成するそれぞれのパターンごとに、異なる情報属性を備えることを特徴とする請求項４から６のいずれかに記載の画像形成方法。
【請求項８】
追跡パターンの生成位置の画像を追跡パターンで置き換えるにあたり、追跡パターンを構成する各パターン同士の間隔を、付加する情報に応じて異ならせたことを特徴とする請求項４から７のいずれかに記載の画像形成方法。
【請求項９】
追跡パターンの生成位置の画像を追跡パターンで置き換えるにあたり、追跡パターンを構成するパターンの個数を、付加する情報に応じて異ならせたことを特徴とする請求項４から７のいずれかに記載の画像形成方法。
【請求項１０】
追跡パターンがパターン群の基準濃度を示す基準濃度パターンを含むことを特徴とする請求項４に記載の画像形成方法。
【請求項１１】
パターン群を構成するパターンのうち、第二のパターンの濃度と基準濃度パターンの濃度の濃度差を、付加する情報に応じて異ならせたことを特徴とする請求項１０に記載の画像形成方法。
【請求項１２】
追跡パターンがパターン群の基準色を示す基準色パターンを含むことを特徴とする請求項５に記載の画像形成方法。
【請求項１３】
パターン群を構成するパターンのうち、第二のパターンの色と基準色パターンの色の色差を、付加する情報に応じて異ならせたことを特徴とする請求項１２に記載の画像形成方法。
【請求項１４】
追跡パターンが紙面に対する角度情報を含むことを特徴とする請求項３叉は６に記載の画像形成方法。
【請求項１５】
追跡パターンを構成する複数のパターンの中、１つのパターンに対する他パターンの角度を、付加する情報に応じて異ならせたことを特徴とする請求項１４に記載の画像形成方法。
【請求項１６】
紙面に対する位置を示す基準位置パターンを有し、追跡パターンの生成位置の画像を追跡パターンで置き換えるにあたりその位置を、付加する情報に応じて前記位置基準パターンに対して異ならせたことを特徴とする請求項１から１５に記載の画像形成方法。
【発明の詳細な説明】
【技術分野】
【０００１】
本発明は複写機、ファクシミリ、プリンタなどの画像形成装置において、プリントアウト出力にパターンを埋め込んで特定の情報を付加する画像形成方法に関するものである。
【背景技術】
【０００２】
従来、出力画像に追跡パターンなどを埋め込んで特定の情報を付加する画像形成方法として、画像にあらかじめ決められた特定の濃度、特定の形状のパターンを付加するものがある。
【０００３】
図１は、出力画像に特定のパターンを付加するためのパターン生成回路を備える画像形成装置の構成例を示すもので、ユーザーが操作パネル１から印刷動作を指示するとＣＰＵ２が制御モータ３を制御して印刷動作を開始する。画像形成装置がプリンタ機能を備える場合はパソコン４から、又、スキャナ機能を備える場合はＣＣＤ５から原稿データが読み込まれる。読み込まれた画像データは画像処理ブロック６にて濃度調整等の画像処理が行われる。ここで画像処理ブロック６はパターン生成回路７を含み、取り込んだ画像データに対して特定のパターンを付加する。付加されたパターンはコピー禁止画像であることを識別する用途で使用される。パターンを付加された画像データは画像形成ブロックに送られ、出力用紙に印刷される。
【０００４】
図２は、原稿画像に追跡パターンを付加する一例を示し、図２（Ａ）は原稿画像、図２（Ｂ）は追跡パターンを示し、追跡パターンは予め一定形状、一定濃度で固定されている。図２（Ｃ）はパターン付加処理後の画像であり、原稿画像に追跡パターンが重畳されて出力される様子を示している。
この種の画像形成技術として、例えば、特許文献１のように、画像情報中の絵・文字の情報を判別する絵・文字判別手段と、絵・文字判別手段により判別した絵・文字の情報に基づき文字の情報の比率が特定比率以上であるか否かを判定する比率判定手段と、特定のパターンを記憶するパターン記憶手段と、文字の情報の比率が特定比率以上であることを条件にパターン記憶手段に記憶された特定のパターンを発生して画像情報を展開した画像に重畳して出力する画像出力手段とを備え、絵情報の多い画像に対して選択的に追跡情報を付与するようにしたものがある。
また、画像に偽造追跡情報を付加する機能を備えた画像形成技術としては、例えば、文献２，３のようなものがある。
【特許文献１】特開２０００−１７５０２７号公報
【特許文献２】特開２００１−３０９１５６号公報
【特許文献３】特開２００３−２３４８８６号公報
【発明の開示】
【発明が解決しようとする課題】
【０００５】
しかし、従来の画像形成装置における画像形成方法では、パターンは特定形状、特定濃度で固定されており、パターンを付加するかしないかという２値の情報しか埋め込むことができなかった。すなわちコピー禁止パターンであるか、コピー禁止パターンではないかという２値の情報しか埋め込むことができなかった。
【０００６】
本発明は上記の問題を解決するためになされたものであり、原稿画像に多値情報を表すことのできるパターンを付加するようにした画像形成方法を提供することである。
【課題を解決するための手段】
【０００７】
本発明は、上述の課題を解決するために、以下の各技術手段により構成される。
第１の技術手段は、原稿画像に追跡パターンを埋め込むことにより追加情報を付加する画像形成方法において、原稿の画像を示す画像データに対して濃度変換を行い、追跡パターンの生成位置の画像を、付加する情報に応じた濃度で置き換えることにより原稿画像に追加情報を付加することを特徴とするものである。
【０００８】
第２の技術手段は、原稿画像に追跡パターンを埋め込むことにより追加情報を付加する画像形成方法において、原稿の画像を示す画像データに対して色変換を行い、追跡パターンの生成位置の画像を、付加する情報に応じた色で置き換えることにより原稿画像に追加情報を付加することを特徴とするものである。
【０００９】
第３の技術手段は、原稿画像に追跡パターンを埋め込むことにより追加情報を付加する画像形成方法において、原稿の画像を示す画像データに対して特定形状のパターンを付加することによって追跡パターンを生成し、追跡パターンの生成位置の画像を、付加する情報に応じた形状で置き換えることを特徴とするものである。
【００１０】
第４の技術手段は、第１の技術手段において、追跡パターンが複数のパターンからなるパターン群からなり、パターン群を構成するそれぞれのパターンごとに、付加する情報に応じた濃度で置き換えたことを特徴とするものである。
【００１１】
第５の技術手段は、第２の技術手段において、追跡パターンが複数のパターンからなるパターン群からなり、パターン群を構成するそれぞれのパターンごとに、付加する情報に応じた色で置き換えたことを特徴とするものである。
【００１２】
第６の技術手段は、第３の技術手段において、追跡パターンが複数のパターンからなるパターン群からなり、パターン群を構成するそれぞれのパターンごとに、付加する情報に応じた形状で置き換えたことを特徴とするものである。
【００１３】
第７の技術手段は、第４から６の技術手段において、パターン群を構成するそれぞれのパターンごとに異なる情報属性を持たせるようにしたことを特徴とするものである。
【００１４】
第８の技術手段は、第４から７のいずれかの技術手段において、追跡パターンの生成位置の画像を追跡パターンで置き換えるにあたり、追跡パターンを構成する各パターン同士の間隔を、付加する情報に応じて異ならせたことを特徴とするものである。
【００１５】
第９の技術手段は、第４から７のいずれかの技術手段において、追跡パターンの生成位置の画像を追跡パターンで置き換えるにあたり、追跡パターンを構成するパターンの個数を、付加する情報に応じて異ならせたことを特徴とするものである。
【００１６】
第１０の技術手段は、第４の技術手段において、追跡パターンがパターン群の基準濃度を示す基準濃度パターンを含むことを特徴とするものである。
【００１７】
第１１の技術手段は、第１０の技術手段において、パターン群を構成するパターンのうち、第二のパターンの濃度と基準濃度パターンの濃度の濃度差を、付加する情報に応じて異ならせたことを特徴とするものである。
【００１８】
第１２の技術手段は、第５の技術手段において、追跡パターンがパターン群の基準色を示す基準色パターンを含むことを特徴とするものである。
【００１９】
第１３技術手段は、第１２の技術手段において、パターン群を構成するパターンのうち、第二のパターンの色と基準色パターンの色の色差を、付加する情報に応じて異ならせたことを特徴とするものである。
【００２０】
第１４の技術手段は、第３又は６の技術手段において追跡パターンが紙面に対する角度情報を含むことを特徴とするものである。
【００２１】
第１５の技術手段は、第１４の技術手段において、追跡パターンを構成する複数のパターンの中、１つのパターンに対する他のパターンの角度を、付加する情報に応じて異ならせたことを特徴とするものである。
【００２２】
第１６の技術手段は、第１から１５の画像形成方法において、紙面に対する位置を示す基準位置パターンを有し、追跡パターンの生成位置の画像を追跡パターンで置き換えるにあたりその位置を、付加する情報に応じて前記位置基準パターンに対して異ならせたことを特徴とするものである。
【発明の効果】
【００２３】
第１の技術手段によれば、追加情報を濃度情報として原稿画像に埋め込むことができる。
【００２４】
第２の技術手段によれば、追加情報を色情報として原稿画像に埋め込むことができる。
【００２５】
第３の技術手段によれば、追加情報を形状情報として原稿画像に埋め込むことができる。
【００２６】
第４の技術手段によれば、濃度情報を含むパターンを複数組み合わせることによって情報量を増やすことができる。例えば濃度階調２階調の画像処理装置で２つのパターンを印字した場合は２（階調）＊２（パターン数）＝４値の情報を付加できる。
【００２７】
第５の技術手段によれば、色情報を含むパターンを複数組み合わせることによって情報量を増やすことができる。
【００２８】
第６の技術手段によれば、形状情報を含むパターンを複数組み合わせることによって情報量を増やすことができる。
【００２９】
第７の技術手段によれば、パターンそれぞれに異なる情報属性を与えればパターン数と同じ情報属性数を付加できる。例えば第一のパターンにユーザーＩＤ、第二のパターンに部門ＩＤを与えることができる。
【００３０】
第８の技術手段によれば、情報をパターンの間隔として埋め込むことができる。
【００３１】
第９の技術手段によれば、情報をパターンの個数として埋め込むことができる。
【００３２】
第１０の技術手段によれば、出力用紙が新聞紙などの下地濃度がある場合に下地濃度に合わせて基準となる濃度を設定することができる。
【００３３】
第１１の技術手段によれば、情報を基準濃度とパターンの濃度差として埋め込むことができる。これにより第１０の技術手段と合わせて出力用紙が新聞紙などの下地濃度がある場合に下地濃度に合わせてパターン濃度を最適化して出力できるのでパターンが目立たない。
【００３４】
第１２の技術手段によれば、出力用紙が色紙などの下地色がある場合に下地色に合わせて基準となる色を設定することができる。
【００３５】
第１３の技術手段によれば、情報を基準色とパターンの色差として埋め込むことができる。これにより第１２の技術手段と合わせて出力用紙が色紙などの下地色がある場合に下地色に合わせてパターン色を最適化して出力できるのでパターンが目立たない。
また、出力用紙が色紙などの下地色がある場合に下地色に合わせてパターン濃度を最適化して出力できるのでパターンが目立たない。
【００３６】
第１４の技術手段によれば、複数のパターンからなる追跡パターンにおいて角度データを含むパターンを入れると出力用紙がスキャナで斜めに読み取られた場合でも角度情報があるのでパターンを認識できる。
【００３７】
第１５の技術手段によれば、情報をパターン相互の相対角度情報として埋め込むことができる。
【００３８】
第１６の技術手段によれば、情報を紙面に対する位置データとして埋め込むことができる。パターンを紙面に対する位置で生成できるので、例えば紙面の四隅にパターンを生成すれば、目視にて容易にパターンを探すことができる。これによりパターンが付加されていることを明示したい場合や生産工程でのパターン生成チェック時にパターンの視認性を向上することができる。
【発明を実施するための最良の形態】
【００３９】
以下に本発明に係るパターンの最良の実施例について、図面を参照しながら詳細に説明する。
＜実施例１＞
まず、図３を用いて第１−３の技術手段による画像形成方法について説明する。図３（Ａ）は出力用紙に出力された出力パターンの例を示す図である。
【００４０】
図３（Ｂ）は第１の技術手段の画像形成方法におけるパターンの一例を説明するパターン図で、図３（Ａ）の部分Ａを拡大したものである。この画像形成方法は、追跡パターンの生成位置の画像を付加する情報に応じた濃度で置き換えるもので、付加する情報とは例えばパターン付加を行うユーザーのＩＤなどがある。ユーザーＩＤ１のユーザーがパターン付加を行う場合は追跡パターンの生成位置の画像を濃度１のパターンで置き換える。パターン付加を行う画像処理装置が２５６階調の濃度表現ができれば２５６人分のユーザーＩＤ情報を付加することができる。図３（Ｂ）のｂ１は追跡パターンの生成位置の画像を濃度１のパターンで置き換え、ユーザーＩＤ１を表すパターンを付加した例である。同様に図３（Ｂ）のｂ２は画像を濃度１２８のパターンで置き換え、ユーザーＩＤ１２８を表すパターンを付加した例、図３（Ｂ）のｂ３は画像を濃度２５６のパターンで置き換え、ユーザーＩＤ２５６を表すパターンを付加した例である。
【００４１】
図３（Ｃ）は第２の技術手段の画像形成方法におけるパターンの一例を説明するパターン図で、図３（Ａ）の部分Ａを拡大したものである。この画像形成方法は、追跡パターンの生成位置の画像を付加する情報に応じた色で置き換えるもので、パターン付加を行う画像処理装置が赤、青、黄色の三色の色表現ができれば３人分のユーザーＩＤ情報を付加することができる。それぞれの色に対応するユーザーＩＤをあらかじめ対応付けておき、例えばユーザーＩＤ１のユーザーがパターン付加を行った場合は赤、ユーザーＩＤ２のユーザーがパターン付加を行った場合は青、ユーザーＩＤ３のユーザーがパターン付加を行った場合は黄色のパターンで追跡パターンの生成位置の画像を置き換える。図３（Ｃ）のｃ１、ｃ２、ｃ３は追跡パターンの生成位置の画像をそれぞれ赤、青、黄色のパターンで置き換え、ユーザーＩＤ１〜３を表すパターンを付加した例である。
【００４２】
図３（Ｄ）は第３の技術手段の画像形成方法におけるパターンの一例を説明するパターン図で、図３（Ａ）の部分Ａを拡大したものである。この画像形成方法は、追跡パターンの生成位置の画像を付加する情報に応じた形状で置き換えるもので、パターン付加を行う画像処理装置にあらかじめ四角、八角、三角などの形状を登録しておき、それぞれの形状に対応するユーザーＩＤをあらかじめ対応付ける。例えばユーザーＩＤ１のユーザーがパターン付加を行った場合は四角、ユーザーＩＤ２のユーザーがパターン付加を行った場合は八角、ユーザーＩＤ３のユーザーがパターン付加を行った場合は三角のパターンで追跡パターンの生成位置の画像を置き換える。図３（Ｄ）のｄ１〜ｄ３は追跡パターンの生成位置の画像をそれぞれ四角、八角、三角のパターンで置き換え、ユーザーＩＤ１〜３を表すパターンを付加した例である。
【００４３】
＜実施例２＞
図４を用いて第４−７の技術手段の画像形成方法について説明する。図４の（Ａ）は第４−７の技術手段の画像形成方法における追跡パターンを出力用紙に出力した出力パターン例を示す図である。
【００４４】
図４（Ｂ）は第４の技術手段の画像形成方法におけるパターンの一例を説明するパターン図で、図４（Ａ）の部分Ｂを拡大したものである。この画像形成方法では、追跡パターンを複数のパターンで構成し、それぞれの追跡パターンの生成位置の画像を付加する情報に応じた濃度で置き換えるもので、複数のパターンに同じ情報属性を持たせる場合は単一のパターンに与えられる情報Ｘパターン数分の情報量を付加することができる。たとえば２５６階調の濃度表現ができる画像処理装置で３つのパターンでユーザーＩＤを付加する場合は２５６の３乗＝１６７７７２１６人分のユーザーＩＤを付加することができる。図４（Ｂ）の例ではそれぞれ左から濃度２５６，１２８、１で追跡パターンの生成位置の画像を置き換えており、２５６＊１２８＊１＝３２７６８を表すユーザーＩＤを付加している。
【００４５】
図４（Ｃ）は第５の技術手段の画像形成方法におけるパターンの一例を説明するパターン図で、図４（Ａ）の部分Ａを拡大したものである。この画像形成方法では、追跡パターンを複数のパターンで構成し、それぞれの追跡パターンの生成位置の画像を付加する情報に応じた色で置き換える。複数のパターンに同じ情報属性を持たせる場合は単一のパターンに与えられる情報Ｘパターン数分の情報量を付加することができる。たとえば３色の色表現ができる画像処理装置で３つのパターンでユーザーＩＤを付加する場合は３の３乗＝２７人分のユーザーＩＤを付加することができる。この例では追跡パターン群を３つのパターンで形成し、赤に１、青に２、黄色に３の情報を割り当てている。それぞれ左から赤、青、黄色で追跡パターンの生成位置の画像を置き換えており、１＊２＊３＝６を表すユーザーＩＤを付加している。
【００４６】
図４（Ｄ）は第６の技術手段の画像形成方法におけるパターンの一例を説明するパターン図で、図４（Ａ）の部分Ｂを拡大したものである。この画像形成方法では、追跡パターンを複数のパターンで構成し、それぞれの追跡パターンの生成位置の画像を付加する情報に応じた形状で置き換える。複数のパターンに同じ情報属性を持たせる場合は単一のパターンに与えられる情報Ｘパターン数分の情報量を付加することができる。たとえば３形状を記憶している画像処理装置で３つのパターンでユーザーＩＤを付加する場合は３の３乗＝２７人分のユーザーＩＤを付加することができる。この例では追跡パターン群を３つのパターンで形成し、それぞれ左から三角、八角、四角で追跡パターンの生成位置の画像を置き換えている。三角に１、八角に２、四角に３の情報を割り当てており、１＊２＊３＝６を表すユーザーＩＤを付加している。
【００４７】
同じく図４（Ｂ）を用いてパターンにそれぞれ異なる情報属性を付加する例を説明する。図４（Ｂ）は第７の技術手段の画像形成方法におけるパターンの一例を説明するパターン図である。
複数のパターンにそれぞれ異なる情報属性を与えればパターン数と同数の情報属性を与えることができる。情報属性とはユーザーＩＤ、部門ＩＤ、会社ＩＤなどを示す。２５６階調の濃度表現ができる画像処理装置でパターン群を３つのパターンから構成すれば、２５６人分のユーザーＩＤ情報、２５６部門分の部門ＩＤ情報、２５６会社分の会社ＩＤ情報、を付加することができる。図４（Ｂ）の例では追跡パターンを３つのパターン群で形成し、それぞれ左から濃度２５６、１２８、１で追跡パターンの生成位置の画像を置き換えている。左から第一のパターンに会社ＩＤ情報、第二のパターンに部門ＩＤ情報、第三のパターンにユーザーＩＤ情報を割り振っている。これにより会社ＩＤ２５６、部門ＩＤ１２８、ユーザーＩＤ１を表している例である。
【００４８】
＜実施例３＞
図５を用いて第８および第９の技術手段の画像形成方法おけるパターンの例を説明する。図５（Ａ）は第８の技術手段におけるパターンの一例を説明するパターン図であり、２つのパターンからなる追跡パターンを形成した例で、２つのパターンの間隔Ａを付加する情報に応じて変更する。例えば１０という情報を付加する場合はパターンの間隔Ａを１０ｍｍとして２つのパターンを形成する。
図５（Ｂ）は第９の技術手段におけるパターンの一例を説明するパターン図であり、２つのパターンからなる追跡パターンを形成した例で、パターンの個数を付加する情報に応じて変更する。例えば２という情報を付加する場合はパターンの個数を２個として２つのパターンを形成する。
【００４９】
＜実施例４＞
図６を用いて第１０から１３の技術手段の画像形成方法におけるパターンの例を説明する。図６（Ａ）は第１０、１１の技術手段におけるパターンの一例を説明するパターン図で、基準濃度パターンを含む３つのパターンで追跡パターンを形成している。図の左から一番目は基準濃度パターンである。基準濃度パターンを除くパターンには付加する情報に応じた濃度でパターン形成を行う。ここで付加する情報は基準濃度との差分濃度で付加する。基準濃度パターンに濃度１０を設定し、情報量１２８を付加する場合はパターンに濃度１３８を付加する。図６（Ａ）の例では基準濃度パターンに濃度１０を設定し、左から２番目に濃度１３８、左から三番目に濃度２５６のパターンを形成した例である。左から２番目に情報量１２８、左から三番目に情報量２４６の情報を付加した例である。
【００５０】
図６（Ｂ）の例では基準色パターンを含む３つのパターンで追跡パターンを形成している。図の左から一番目は基準色パターンである。基準色パターンを除くパターンには付加する情報に応じた色でパターン形成を行う。ここで付加する情報は基準濃度との差分色で付加する。基準色パターンにＲＧＢそれぞれ濃度＜１０，０，０＞の赤を設定し、情報量１２８を付加する場合はパターンにＲＧＢ＜１３８，０，０＞の赤を付加する。図６（Ｂ）の例では基準色パターンにＲＧＢ＜１０，０，０＞の赤を設定し、左から２番目にＲＧＢ＜１３８，０，０＞の赤、左から三番目にＲＧＢ＜２５６，０，０＞の赤パターンを形成した例である。左から２番目に情報量１２８、左から三番目に情報量２４６の情報を付加した例である。
【００５１】
＜実施例５＞
まず図７を用いて第１４の技術手段による画像形成方法におけるパターンの例を説明する。図７（Ａ）は出力用紙に出力されたパターンの例を示す出力パターン例を示す図である。図７（Ｂ）は図７（Ａ）の部分Ａを拡大した図である。図７（Ｂ）に示す例では大小２つの四角形状を組み合わせたパターンで紙面に対する角度情報を現している。すなわち大きい四角の重心Ｂと小さい四角の重心Ａを結ぶ線を出力用紙縦平行線と一致させている。
【００５２】
次に図７（Ｃ）（Ｄ）を用いて第１５の技術手段におけるパターン例を説明する。図７（Ｃ）はパターン群を２つの図７（Ｂ）で示すパターンで形成しており、第一のパターンに対する第二のパターンの角度を付加する情報に応じて異ならせる例を説明している。情報量として３０を付加するには第一のパターンを図面垂直方向に合わせ、第一のパターンに対して第二のパターンを３０度傾かせる。図７（Ｄ）は同様に情報量として９０を与えるために第一のパターンに対して第二のパターンを９０度傾かせた例を説明している。
【００５３】
＜実施例６＞
図８を用いて第１５の技術手段による画像形成方法におけるパターンの例を説明する。図８は出力用紙に出力されたパターンの例を示す出力パターン例を示す図である。図８は紙面に対する位置を示す基準位置パターンを備え、追跡パターンの生成位置の画像を追跡パターンで置き換える位置を付加する情報に応じて基準位置パターンに対して異ならせた例を説明している。図８に示すパターン例では紙面左上に紙面に対する位置を示す基準位置パターンを設けている。さらに基準位置パターンから紙面横方向に７０００画素の領域を部分Ａ、基準位置パターンから紙面縦方向に４０００画素の領域を部分Ｂ、基準位置パターンから紙面横方向に７０００画素、縦方向に４０００画素の領域を部分Ｃと定義する。部分Ａにパターンがあれば情報量１を示し、部分Ｂにパターンがあれば情報量２を示し、部分Ｃにパターンがあれば情報量３を示す。
【図面の簡単な説明】
【００５４】
【図１】従来の画像形成装置の構成を示すブロック図である。
【図２】従来の追跡パターンを説明するパターン図である。
【図３】本発明の実施例１における追跡パターンの例を説明するパターン図である。
【図４】本発明の実施例２における追跡パターンの例を説明するパターン図である。
【図５】本発明の実施例３における追跡パターンの例を説明するパターン図である。
【図６】本発明の実施例４における追跡パターンの例を説明するパターン図である。
【図７】本発明の実施例５における追跡パターンの例を説明するパターン図である。
【図８】本発明の実施例６における追跡パターンの例を説明するパターン図である。
【符号の説明】
【００５５】
ｂ１…濃度１のパターン、ｂ２…濃度１２８のパターン、ｂ３…濃度２５６のパターン、ｃ１…赤色のパターン、ｃ２…青色のパターン、ｃ３…黄色のパターン、ｄ１…四角形状のパターン、ｄ２…八角形状のパターン、ｄ３…三角形状のパターン。
【図１】
2007150876.tif 000003
【図２】
2007150876.tif 000004
【図３】
2007150876.tif 000005
【図４】
2007150876.tif 000006
【図５】
2007150876.tif 000007
【図６】
2007150876.tif 000008
【図７】
2007150876.tif 000009
【図８】
2007150876.tif 000010